【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
原稿を該原稿の端部から所定の方向にラインごとに読み取って画像データを出力する読み取り手段と、
原稿の前記所定の方向についてのサイズを検知する検知手段と、
前記読み取り手段により原稿を読み取りつつ、出力された画像データを用いて画素値の頻度分布を、前記所定の方向に対して所定幅を有する基準領域ごとに取得する取得手段と、
前記取得手段により前記基準領域ごとに取得した前記頻度分布を所定数のグループにわけ、該グループごとに前記頻度分布を集計して保存する集計手段と、
前記検知手段により原稿のサイズが検知されたとき、該原稿のサイズと前記基準領域の幅と前記グループの数とを用いて、各グループに分けられた前記基準領域の数が均等になるように、前記集計手段による前記基準領域ごとに取得した前記頻度分布の集計を制御する制御手段と、
前記各グループに分けられた前記基準領域の数が均等になるように前記制御手段により前記基準領域ごとに取得した前記頻度分布の集計が制御されると、前記各グループに対して前記集計手段により集計された頻度分布を用いて、前記入力された画像データの解析を行う解析手段と、を有することを特徴とする画像処理装置。
【請求項２】
原稿を前記所定の方向に搬送する搬送手段を更に有し、
前記検知手段は、前記搬送手段による搬送方向について原稿の端部を検知し、
前記読み取り手段は、前記検知手段による検知位置から所定距離だけ前記搬送方向に離れた位置で読み取りを行い、
前記制御手段は、前記検知手段により原稿の後端が検知されたときに、前記読み取り位置と前記検知位置との間の原稿の画像のうち、前記グループごとの前記基準領域の数を均等にした余りの部分については、前記頻度分布を集計しないよう前記集計手段を制御することを特徴とする請求項１に記載の画像処理装置。
【請求項３】
前記制御手段は、前記原稿の前記搬送方向の端部の所定の幅を除いた有効領域を対象として前記頻度分布を集計するよう前記集計手段を制御することを特徴とする請求項２に記載の画像処理装置。
【請求項４】
前記グループの数は２であることを特徴とする請求項１乃至３のいずれか一項に記載の画像処理装置。
【請求項５】
前記読み取り手段により読み取った画像データを保存する保存手段を更に有し、
前記読み取り手段により読み取った画像データを対象として前記集計手段により頻度分布を集計しつつ、読み取った画像データを前記保存手段に保存することを特徴とする請求項１乃至４のいずれか一項に記載の画像処理装置。
【請求項６】
前記集計手段は、前記グループそれぞれについて１つずつの前記基準領域を組とした一組の基準領域を対象とした前記頻度分布を集計し終えるまで一時保存する一時保存手段を有し、前記一組の基準領域を対象とした頻度分布の集計が完了すると、前記一時保存手段に一時保存した前記頻度分布をまとめて前記グループごとの前記頻度分布に反映することを特徴とする請求項１乃至５のいずれか一項に記載の画像処理装置。
【請求項７】
前記制御手段は、前記検知手段により原稿の後端が検知されたときに、前記基準領域の幅を、より狭い幅に切り替えることを特徴とする請求項１乃至６のいずれか一項に記載の画像処理装置。
【請求項８】
前記解析手段では、前記集計手段により集計された前記頻度分布を用いて、前記読み取り手段により読取られた原稿が白紙か否か判定することを特徴とする請求項１乃至７のいずれか一項に記載の画像処理装置。
【請求項９】
原稿を読み取って画像データを出力する読み取り手段と、
前記読み取り手段により原稿を読み取って出力された画像データを用いて画素値の頻度分布を、前記画像データのうちの所定の面積を有する基準領域ごとに取得する取得手段と、
前記取得手段により該基準領域ごとに取得した前記頻度分布を前記基準領域の数が均等になるように所定数のグループに分け、該グループごとに前記頻度分布を集計して保存する集計手段と、
前記集計手段により集計されたグループごとに保存された前記頻度分布を用いて、前記入力された画像データの解析を行う解析手段と、
を有する画像処理装置。
【請求項１０】
画像処理装置により実行される画像処理方法であって、原稿を該原稿の端部から所定の方向にラインごとに読み取って画像データを出力する読み取り工程と、
原稿の前記所定の方向についてのサイズを検知する検知工程と、
前記読み取り工程により原稿を読み取りつつ、出力した画像データを用いて画素値の頻度分布を、前記所定の方向に対して所定幅を有する基準領域ごとに取得する取得工程と、
前記取得工程により前記基準領域ごとに取得した前記頻度分布を所定数のグループにわけ、該グループごとに前記頻度分布を集計して保存する集計工程と、
前記検知工程により原稿のサイズが検知されたとき、該原稿のサイズと前記基準領域の幅と前記グループの数とを用いて、各グループに分けられた前記基準領域の数が均等になるように、前記集計工程による集計を制御する制御工程と、
前記制御工程により制御して集計されたグループごとに保存された前記頻度分布を用いて、前記入力された画像データの解析を行う解析工程と、
を有することを特徴とする画像処理方法。
【請求項１１】
画像処理装置により実行される画像処理方法であって、
原稿を読み取って画像データを出力する読み取り工程と、
前記読み取り工程により原稿を読み取って出力された画像データを用いて画素値の頻度分布を、前記画像データの所定の面積を有する基準領域ごとに取得する取得工程と、
前記取得工程により前記基準領域ごとに取得した前記頻度分布を前記基準領域の数が均等になるように所定数のグループに分け、該グループごとに前記頻度分布を集計して保存する集計工程と、
前記集計工程により集計されたグループごとに保存された前記頻度分布を用いて、前記入力された画像データの解析を行う解析工程と、
を有する画像処理方法。
【請求項１２】
コンピュータに請求項１０または１１の画像処理方法を実行させるためのプログラム。
【手続補正２】
【補正対象書類名】明細書
【補正対象項目名】０００９
【補正方法】変更
【補正の内容】
【０００９】
上記目的を達成するために、本発明は以下の構成を有する。すなわち、
原稿を該原稿の端部から所定の方向にラインごとに読み取って画像データを出力する読み取り手段と、
原稿の前記所定の方向についてのサイズを検知する検知手段と、
前記読み取り手段により原稿を読み取りつつ、出力された画像データを用いて画素値の頻度分布を、前記所定の方向に対して所定幅を有する基準領域ごとに取得する取得手段と、
前記取得手段により前記基準領域ごとに取得した前記頻度分布を所定数のグループにわけ、該グループごとに前記頻度分布を集計して保存する集計手段と、
前記検知手段により原稿のサイズが検知されたとき、該原稿のサイズと前記基準領域の幅と前記グループの数とを用いて、各グループに分けられた前記基準領域の数が均等になるように、前記集計手段による前記基準領域ごとに取得した前記頻度分布の集計を制御する制御手段と、
前記各グループに分けられた前記基準領域の数が均等になるように前記制御手段により前記基準領域ごとに取得した前記頻度分布の集計が制御されると、前記各グループに対して前記集計手段により集計された頻度分布を用いて、前記入力された画像データの解析を行う解析手段と、を有することを特徴とする画像処理装置。
また本発明の他の側面によれば、本発明は以下の構成を有する。
原稿を読み取って画像データを出力する読み取り手段と、
前記読み取り手段により原稿を読み取って出力された画像データを用いて画素値の頻度分布を、前記画像データのうちの所定の面積を有する基準領域ごとに取得する取得手段と、
前記取得手段により該基準領域ごとに取得した前記頻度分布を前記基準領域の数が均等になるように所定数のグループに分け、該グループごとに前記頻度分布を集計して保存する集計手段と、
前記集計手段により集計されたグループごとに保存された前記頻度分布を用いて、前記入力された画像データの解析を行う解析手段と、
を有する画像処理装置。